(57)【要約】【課題】運転者の意図に沿った車両の走行制御が可能な車両走行制御装置を提供する。【解決手段】車両走行制御装置は、車両の現在地から目的地までの走行ルートＲ１を複数の走行区間ｒ１１〜ｒ１４に任意に分割し、その分割した各走行区間ｒ１１〜ｒ１４に対して走行制御用パラメータを設定し、車両Ｓが走行区間ｒ１１〜ｒ１４に進入した場合に、走行区間ｒ１１〜ｒ１４に対して設定されている走行制御用パラメータに基づいて車両の走行を制御する。【選択図】図２
2010188950.tif 000002
【特許請求の範囲】
【請求項１】
走行制御用パラメータに基づいて車両の走行を制御する車両走行制御装置において、
前記車両の現在地から目的地までの走行ルートを設定するルート設定部と、
該ルート設定部によって設定された走行ルート上の任意の位置に分割点を設定して前記走行ルートを複数の走行区間に分割する区間設定部と、
該区間設定部によって分割された各走行区間に対して前記走行制御用パラメータを設定するパラメータ設定部と、
該パラメータ設定部によって設定された走行制御用パラメータを前記走行区間に関連付けて読み出し可能に記憶する設定記憶部と、
前記車両の現在地を検出する車両位置検出部と、
該車両位置検出部からの検出信号に基づいて前記車両が前記走行区間に進入したか否かを判断し、前記車両が前記走行区間に進入したと判断した場合に、前記車両が進入した走行区間に対して設定されている前記走行制御用パラメータを前記設定記憶部から読み出して、該走行制御用パラメータに基づいて前記車両の走行を制御する走行制御部と、
を有することを特徴とする車両走行制御装置。
【請求項２】
前記走行制御用パラメータは、
前記車両の加速と減速を制御して先行車を追従する走行制御モードと、
前記車両の減速だけを制御して加速は運転者の操作に依存する走行制御モードと、
ナビゲーションシステムと連動してカーブ前で減速する走行制御モードと、
前記車両の加速も減速も制御せずに先行車や障害物の接近を警報で知らせる走行制御モードの少なくとも一つを含むことを特徴とする請求項１に記載の車両走行制御装置。
【請求項３】
前記走行制御用パラメータは、
運転者によって予め設定された上限車速と、先行車両に対する車間距離の少なくとも一方を含むことを特徴とする請求項１に記載の車両走行制御装置。
【請求項４】
前記設定記憶部に記憶された走行制御用パラメータに基づいて前記車両の走行制御を行うか否かを選択する機能設定選択部を有することを特徴とする請求項１に記載の車両走行制御装置。
【請求項５】
走行制御用パラメータに基づいて車両の走行を制御する車両走行制御装置において、
前記車両の現在地から目的地までの走行ルートを複数の走行区間に任意に分割し、該分割した各走行区間に対して前記走行制御用パラメータを設定し、前記車両が前記走行区間に進入した場合に、該走行区間に対して設定されている前記走行制御用パラメータに基づいて前記車両の走行を制御することを特徴とする車両走行制御装置。
【発明の詳細な説明】
【技術分野】
【０００１】
本発明は、運転者によって任意に設定された車速や車間距離等に基づいて車両の走行を制御する車両走行制御装置に関する。
【背景技術】
【０００２】
運転者が任意に設定した車速や車間距離に基づいて車両の走行制御を行う車両走行制御装置が知られている。走行制御装置は、車両の加速と減速を制御して先行車を追従する走行制御モードや、減速だけを制御して加速は運転者の操作に依存する走行制御モード、ナビゲーションシステムと連動してカーブ前で減速する走行制御モード、加速も減速も制御せずに先行車や障害物の接近を警報で知らせる走行制御モードなど、様々な走行制御モードが設定されており、運転者が状況に応じた走行制御モードを選択することによって、環境に応じた最適な走行制御を実現できる。
【０００３】
特許文献１には、モニターに表示される地図上の道路に任意の区間を指定し、その指定区間に任意の走行速度を設定し、その設定した走行速度を超えて車両が実際に走行した場合に速度超過を通知するナビゲーション装置の技術が示されている。また、特許文献２には、運転者の希望する走行速度が予め設定された登録地点に車両が接近中であると判断された場合に、車両の走行速度が運転者希望走行速度となるように、車両の走行を支援する支援システムの技術が示されている。
【先行技術文献】
【特許文献】
【０００４】
【特許文献１】特開２００８−０３９４０１号公報
【特許文献２】特開２００６−１９３０９５号公報
【発明の概要】
【発明が解決しようとする課題】
【０００５】
しかしながら、上記した従来の車両走行制御装置の場合、運転者が意図する走行速度に設定するためには、複数のスイッチから目的に合ったスイッチを選択し、更に選択したスイッチを何回も押す必要があった。また、スイッチの種類が多いこととスイッチを押す回数も多いことから、現在の機能設定の内容を確認しつつスイッチ操作を行わなければならなかった。
【０００６】
そして、機能設定の内容は、音声案内、またはモニター表示により確認できるが、音声案内での確認の場合は音声を聞き取るまでに一定の時間が必要であり、わずらわしい。また、モニター表示での確認の場合は視点がモニターに集中するため前方不注意による危険を誘発する恐れがある。従って、従来の走行制御装置において機能設定を変更することは運転者への負荷が非常に大きかった。
【０００７】
また、特許文献１に記載された技術の場合、運転者によって任意に設定された上限速度を超えたときに速度オーバーの警報を鳴らすだけであった。そして、特許文献２に記載された技術の場合、システムに登録されている道路情報の切替地点でのみ機能設定の切り替えが可能であり、切替地点を任意に指定することはできなかった。また、機能設定の切替の対象が上限速度のみであったため、運転者が実際に運転した時の様な細かな走行制御を実現できなかった。そのため、運転者にとって違和感のない走行制御を実現するためには、上限速度以外の機能設定においても切替の対象とする必要があった。
【０００８】
本発明は、上記の点に鑑みてなされたものであり、その目的とするところは、運転者の意図に沿った車両の走行制御が可能な車両走行制御装置を提供することを課題とする。
【課題を解決するための手段】
【０００９】
上記課題を解決する本発明の車両走行制御装置は、車両の現在地から目的地までの走行ルートを複数の走行区間に任意に分割し、その分割した各走行区間に対して走行制御用パラメータを設定し、車両が走行区間に進入した場合に、走行区間に対して設定されている走行制御用パラメータに基づいて車両の走行を制御することを特徴としている。
【発明の効果】
【００１０】
本発明の車両走行制御装置によれば、車両が走行区間に進入した場合に、走行制御用パラメータを切り替えることができる。従って、走行制御用パラメータを自動的に変更することができ、従来のスイッチ操作を省略することができる。また、走行区間の長さや位置を運転者が任意に設定でき、運転者の意思を反映した細かい設定の切り替えを行うことができる。従って、運転者への負担をより軽減することができる。
【図面の簡単な説明】
【００１１】
【図１】本実施の形態における走行制御装置の構成を概略的に示す図。
【図２】本実施の形態における走行制御の方法を説明するフローチャート。
【図３】具体的な実施例について説明する図。
【図４】具体的な実施例について説明する図。
【図５】具体的な実施例について説明する図。
【図６】具体的な実施例について説明する図。
【図７】具体的な実施例について説明する図。
【図８】具体的な実施例について説明する図。
【図９】具体的な実施例について説明する図。
【図１０】具体的な実施例について説明する図。
【図１１】具体的な実施例について説明する図。
【図１２】具体的な実施例について説明する図。
【図１３】具体的な実施例について説明する図。
【図１４】具体的な実施例について説明する図。
【図１５】具体的な実施例について説明する図。
【図１６】具体的な実施例について説明する図。
【図１７】具体的な実施例について説明する図。
【図１８】具体的な実施例について説明する図。
【発明を実施するための形態】
【００１２】
次に、本実施の形態について図面を参照して説明する。
図１は、本実施の形態における走行制御装置の構成を概略的に示す図である。車両走行制御装置は、自動車等の車両に搭載されており、図１に示すように、ナビゲーションシステム１、走行制御部２、設定記憶部３、車速センサ４、外界認識装置５、エンジン制御部６、ブレーキ制御部７を主たる構成としている。
【００１３】
ナビゲーションシステム１は、現在地から目的地までの経路をユーザに指し示して自車を誘導するものであり、車両位置検出部１１、表示部１２、ルート設定部１３、区間設定部１４、機能設定部１５を備えている。
【００１４】
車両位置検出部１１は、ＧＰＳ（全地球測位システム）に基づく緯度／経度情報と、自律航法による位置情報を勘案して、自車の現在地を算出する。自律航法は、自車の走行速度とその走行方向（方位）を微小時間で積算し、移動量を求めるものである。自律航法中心の方法では、自律航法で求めた自車の現在地が、ＧＰＳで求めた位置と大幅に偏位している場合に、ＧＰＳベースの位置に修正を施すような処理が行われている。
【００１５】
表示部１２は、車両位置検出部１１で求めた自車の現在地を地図上にマッピングし、自車周囲の地図とともにタッチパネルからなるディスプレイ（図示せず）に表示する。表示部１２では、一定の走行距離毎に、または、交差点やカーブを通過した事象を車両情報から検出し、その際にマップマッチング処理を施し、地図上の位置を補正する。
【００１６】
ルート設定部１３は、表示部１２の地図情報に基づいて、現在地から目的地までの走行ルートを算出する。走行ルートは、車両走行制御装置のユーザが任意に設定することができる。例えば本実施の形態では、３種類のルート設定方法が設定されている。
【００１７】
１つ目は、ナビゲーションシステム１より最短距離、または最短時間となるルートを算出し、その中からユーザが好みのルートを設定する方法であり、２つ目は、タッチパネル式のディスプレイにおいて、ディスプレイ上の道路をユーザが指などでなぞることでルートを設定する方法、３つ目は、ユーザがキー操作を行うことにより、ディスプレイ上のカーソルを移動し、カーソルより道路を指定して走行ルートを設定する方法である。
【００１８】
区間設定部１４は、ルート設定部１３で設定された走行ルートを複数の区間に分割する。区間は、走行ルートに対して、ユーザが走行制御の機能設定を切り替えたい地点を分割点として、ディスプレイの走行ルート上に指定することによって設定される。
【００１９】
機能設定部（パラメータ設定部）１５は、区間設定部１４で設定した各区間について、走行制御の機能設定（例えば走行制御モード、設定車速、設定車間距離等の走行制御用パラメータ）を設定する。各区間に対して機能設定を設定する作業は、ユーザによって行われる。走行制御モードは、例えば、車両の加速と減速を制御して先行車を追従する走行制御モード、減速だけを制御して加速は運転者の操作に依存する走行制御モード、ナビゲーションシステムと連動してカーブ前で減速する走行制御モード、加速も減速も制御せずに先行車や障害物の接近を警報で知らせる走行制御モードなど、様々な走行制御モードが予め選択可能に用意されている。そして、設定車速は、例えば時速１キロメートル単位で増減可能に設定され、設定車間距離は、例えば先行車両との車間距離を１０メートル単位で増減可能に設定されている。
【００２０】
走行制御部２は、自動車の走行を制御する車載制御ユニット内に構成されており、プログラムの実行によって、機能設定選択部２１、設定記憶選択部２２、目標車速演算部２３、目標車間距離演算部２４等の内部機能が実現される。
【００２１】
走行制御部２による走行制御を有効とするか無効とするかは、ユーザ操作によって選択できるようになっている。機能設定選択部２１は、ユーザ操作による機能設定と、設定記憶選択部２２から取得した機能設定のいずれか一方を選択し、目標車速演算部２３と目標車間距離演算部２４に出力する。走行制御が有効に設定されている場合は、設定記憶選択部２２から取得した機能設定を選択し、走行制御が無効に設定されている場合は、ユーザ操作による機能設定を選択する。
【００２２】
設定記憶選択部２２は、走行制御が有効の場合にナビゲーションシステム１から、自車の現在地から目的地までの走行ルートと、各走行区間と、各走行区間の機能設定（走行制御用パラメータ）の情報を取得し、設定記憶部３に記憶させる。更に、ユーザ操作による機能設定の変更があった場合、ナビゲーションシステム１によって検出された現在地を基に、現在地が所在する走行区間をユーザ操作時の位置の前後で分割し、その分割点で分割されたユーザ操作後の走行区間と機能設定を設定記憶部３へ登録する。
【００２３】
そして、設定記憶部３から、現在地における機能設定を取得し、その取得した機能設定を機能設定選択部２１に出力する。目標車間距離演算部２４は、機能設定選択部２１から取得した機能設定と、車速センサ４から取得した車両速度と、外界認識装置５から取得した車間距離および相対速度に基づいて、目標車間距離を算出する。
【００２４】
目標車速演算部２３は、機能設定選択部２１から取得した機能設定と、車速センサ４から取得した実際の車両の速度である実車速と、外界認識装置５から取得した車間距離および相対速度と、目標車間距離演算部２４から取得した目標車間距離に基づいて、目標車速を算出する。
【００２５】
走行制御部２は、目標車速演算部２３で算出した目標車速に基づいて、加速指令や減速指令を算出し、加速指令はエンジン制御部６へ出力し、減速指令はブレーキ制御部７に出力する。
【００２６】
設定記憶部３は、ナビゲーションシステム１から取得した走行ルートと、各走行区間と、各走行区間における機能設定の情報を、読み出し可能な状態で記憶する。また、ユーザ操作による機能設定の変更があった場合には、変更する走行区間と機能設定を設定記憶選択部２２より取得して、記憶している情報を更新する処理を行う。また、設定記憶選択部２２から現在地の情報を取得し、現在地が該当する区間の機能設定を設定記憶選択部２２に出力する。
【００２７】
車速センサ４は、車両の走行速度を測定するセンサであり、測定した走行速度の情報を走行制御部２へ出力するように構成されている。そして、外界認識装置５は、車両前方を撮影するカメラや、車両前方の物体を検知するレーダを備え、車両の前方を走行する車両、または車両の前方に停止している物体に対して、車両との車間距離と相対速度を算出し、その算出した車間距離と相対速度の情報を走行制御部２に出力する。
【００２８】
エンジン制御部６は、走行制御部２からの加速指令に基づいてエンジンの出力を制御し、車両の加速度を制御する。ブレーキ制御部７は、走行制御部２からの減速指令に基づいて車両に制動をかけて、減速度を制御する。
【００２９】
次に、本実施の形態における走行制御方法について図２のフローチャートを用いて説明する。
【００３０】
ステップＳ１では、ナビゲーションシステム１において、現在地から目的地までの走行ルートを設定する処理が行われる。ナビゲーションシステム１は、現在地と目的地がユーザ操作によって設定されると、候補ルートを複数抽出する。そして、ユーザ操作によって選択された候補ルートを、走行ルートとして設定する。
【００３１】
そして、ステップＳ２では、ステップＳ１で設定した走行ルートを任意の地点で分割し、複数の走行区間を作成する処理がなされる。走行ルートの分割は、例えばナビゲーションシステム１のディスプレイに表示された走行ルート上の地点を指定することによって行われる。ステップＳ２で作成された各走行区間は、設定記憶部３に記憶される。
【００３２】
ステップＳ３では、ステップＳ２で作成した各走行区間に対して、任意の機能設定（走行制御モード、設定車速、設定車間距離）を設定し、設定記憶部３に記憶する処理が行われる。
【００３３】
それから、ステップＳ４では、メインスイッチがユーザによってＯＦＦからＯＮに操作されると、車両走行制御装置による走行制御を無効から有効に切り換える制御が行われ、設定記憶選択部２２から取得した機能設定に基づいて走行制御を開始すべくステップＳ５以降に移行する。
【００３４】
なお、ステップＳ４にて、メインスイッチがＯＦＦの場合は、例えば、１．走行制御は開始されないが、走行ルートの設定や登録が可能な状態、２．ＯＮに操作されるまで待機する待機状態、３．スイッチ操作による追従走行が可能な状態等、これら１〜３の状態のいずれかとしてもよい。
【００３５】
ステップＳ５では、自車の現在地が走行ルート上にあるか否かが判定され、ステップＳ５の判定が成立する場合にはステップＳ６以降に移行し、ステップＳ５の判定が不成立の場合にはステップＳ１１以降に移行する。
【００３６】
まず、ステップＳ５でＹＥＳと判定された場合、すなわち、自車の現在地が走行ルート上に存在すると判定された場合には、ステップＳ６に移行し、現在地に対応する機能設定を設定記憶部３から取得して、走行制御部２にセットする処理がなされる。
【００３７】
ステップＳ７では、ユーザが機能設定の変更操作を行ったかどうかを判定し、ユーザが機能設定の変更操作を行ったと判定された場合（ステップＳ７でＮＯ）には、ステップＳ８に移行する。
【００３８】
そして、ステップＳ８では、機能設定変更時の位置で走行区間を分割し、機能設定変更前の走行区間の機能設定はそのままに、機能設定変更後の走行区間の機能設定を変更後の機能設定として設定記憶部に登録する処理がなされる。
【００３９】
ステップＳ７でユーザが機能設定の変更操作を行っていないと判定された場合（ステップＳ７でＹＥＳ）、もしくはステップＳ８の後は、ステップＳ９に移行する。
【００４０】
そして、ステップＳ９では、現在の走行制御にセットされている機能設定が現在地における設定記憶部の機能設定と一致しているか否かが判定される。そして、現在の走行制御にセットされている機能設定と、現在地における設定記憶部の機能設定とが一致していないと判定された場合（ステップＳ９でＮＯ）には、ステップＳ１０に移行する。
【００４１】
ステップＳ１０では、区間の分割点を自車が通過したとして、走行制御部２に現在地における設定記憶部３の機能設定をセットする処理がなされる。
【００４２】
一方、ステップＳ５でＮＯと判定された場合、すなわち、自車の現在地が走行ルート上にないと判定された場合には、ステップＳ１１に移行する。
【００４３】
ステップＳ１１では、走行制御部２に機能設定がセットされているか否かが判断され、セットされていないと判断された場合（ステップＳ１１でＮＯ）には、ステップＳ１２に移行する。ステップＳ１２では、機能設定に初期設定をセットする。
【００４４】
例えば、走行制御モードに「追従走行制御モード（ＡＣＣ）」、設定車速に「車両の現在の速度」、設定車間距離に「長」を設定する。追従走行制御モードとは、加速と減速を制御し先行車を追従する走行制御モードである。また、設定車間距離は「短」、「中」、「長」の３パターンの中から選択するように構成されており、車両とその前方を走行する先行車両に対して、「短」、「中」、「長」の順でより長く車間距離を保つように走行制御を行うものとする。
【００４５】
ステップＳ１１で走行制御部２に機能設定がセットされていると判断された場合（ステップＳ１１でＹＥＳ）、もしくは、ステップＳ１２の後は、ステップＳ１３に移行する。
【００４６】
ステップＳ１３では、ユーザによる機能設定の変更操作が行われたかどうかが判定される。そして、ユーザによる機能設定の変更操作が行われていた場合（ステップＳ１３でＮＯ）には、ステップＳ１４に移行する。
【００４７】
ステップＳ１４では、変更後の機能設定を走行制御部３にセットする処理がなされる。そして、ステップＳ１３でユーザによる機能設定の変更操作が行われたと判定された場合（ステップＳ１３でＹＥＳ）、もしくは、ステップＳ１４の後は、ステップＳ１５に移行する。
【００４８】
ステップＳ１５では、ステップＳ１１からステップＳ１４において走行制御部２にセットされた機能設定を設定記憶部３に登録する。具体的にはナビゲーションシステム１の現在地情報から走行ルートを算出する。そして、その算出した走行ルートを、機能設定の変更があった地点（分割点）で分割して走行区間を生成し、その生成した走行区間を設定記憶部に登録する。また、各走行区間において走行制御部２にセットされていた機能設定を設定記憶部３に登録する。
【００４９】
そして、ステップＳ１６において、ユーザがメインスイッチをＯＮからＯＦＦに操作することによって、走行制御を有効の状態から無効にする。
【００５０】
次に、上記した車両走行制御装置による具体的な実施例について説明する。尚、図３〜図１８は、ナビゲーションシステム１の表示部１２によってディスプレイに表示される画面を模式的に示す図である。
【００５１】
［設定方法］
まず、ナビゲーションシステム１のユーザ操作によって、図３に示すように、ナビゲーションシステム１が有する地図情報に対して、現在地（当該走行制御の開始地点）と目的地（当該走行制御の終了地点）が設定されと、図４に示すように、ナビゲーションシステム１によって複数の道路Ｌの中から現在地と目的地を結ぶ走行ルートＲ１が設定される。
【００５２】
そして、図５に示すように、走行ルートＲ１上に、分割点Ｐ１が設定される。分割点Ｐ１は、ユーザによって任意の位置に設定される。分割点Ｐ１の設定によって、現在地から同じ機能設定を有する走行区間として、走行区間ｒ１１が設定される。
【００５３】
それから、図６に示すように、走行区間ｒ１１の機能設定を設定すべく、表示画面に案内が表示される。機能設定の案内画面は、ユーザ操作により機能設定を設定するためのものである。
【００５４】
図７は、表示部１２のディスプレイ上に表示される画面であって、走行区間ｒ１１に対して機能設定（走行制御モード、設定車速、設定車間距離）が設定された状態を表示する図である。図７では、一例として、走行区間ｒ１１に対して、走行制御モードが第１走行モード、設定車速が６０ｋｍ／ｈ、設定車間距離が長と設定される。
【００５５】
次に、図８に示すように、走行ルートＲ１上に分割点Ｐ２が設定される。分割点Ｐ２は、分割点Ｐ１から同じ機能設定を有する走行区間ｒ１２を設定するためのものであり、ユーザによって任意の位置に設定される。そして、図６と同様に、機能設定の案内画面が表示され、図７と同様に、ユーザ操作によって機能設定が設定される。図８では、一例として、走行区間ｒ１２に対して、走行制御モードが第２走行モード、設定車速が４０ｋｍ／ｈ、設定車間距離が中と設定される。
【００５６】
それから、図９に示すように、走行ルートＲ１上に分割点Ｐ３が設定される。分割点Ｐ３は、分割点Ｐ２から同じ機能設定を有する走行区間ｒ１３を設定するためのものであり、ユーザによって任意の位置に設定される。そして、図６と同様に、機能設定の案内画面が表示され、図７と同様に、ユーザ操作によって機能設定が設定される。図９では、一例として、走行区間ｒ１３に対して、走行制御モードが第３走行モード、設定車速が２０ｋｍ／ｈ、設定車間距離が短と設定される。
【００５７】
また、図９に示すように、分割点Ｐ３の設定により、分割点Ｐ３から目的地までの走行区間ｒ１４が設定される。そして、図６と同様に、機能設定の案内画面が表示され、図７と同様に、ユーザ操作によって機能設定が設定される。図９では、一例として、走行区間ｒ１４に対して、走行制御モードが第１走行モード、設定車速が５０ｋｍ／ｈ、設定車間距離が長と設定される。
【００５８】
［走行制御方法］
次に、上記した図９の設定内容に基づいて行われる走行制御の内容について、以下に説明する。尚、図中で符号ｉは、自車の現在地と進行方向を示すアイコンであり、表示部１２のディスプレイ上に表示される。
【００５９】
図１０は、図９の設定内容を基に、当該走行制御状態で走行ルートＲ１内の走行区間ｒ１１を走行しているときの状態を示す図である。この状態では、図１０の右下に示されるように、現在の機能設定として、走行区間ｒ１１に対して設定された内容、すなわち、走行制御モードが第１走行モード、設定車速が６０ｋｍ／ｈ、設定車間距離が長という機能設定の内容に基づいて、走行制御がなされる。
【００６０】
図１１は、自車の現在位置が走行区間ｒ１１から走行区間ｒ１２に移動した状態を示す図である。自車が分割点Ｐ１を通過して走行区間ｒ１１から走行区間ｒ１２に移動すると、機能設定の切り替えが行われる。具体的には、図１１の右下に示されるように、走行区間ｒ１２に対して設定された内容、すなわち、走行制御モードが第２走行制御モード、設定車速が４０ｋｍ／ｈ、設定車間距離が中という内容に切り換えられ、かかる機能設定に基づいて走行制御がなされる。
【００６１】
図１２は、走行制御が無効に設定されており、且つ過去に機能設定を登録したことがある走行区間ｒ１２を自車が走行しているときの状態を示す図である。この場合は、自車が分割点Ｐ１を通過して走行区間ｒ１１から走行区間ｒ１２に移動しても、図１２の右下に示されるように機能設定はセットされず、設定記憶部３に記憶されている機能設定の中から、過去に走行区間ｒ１２を走行したときに設定された機能設定が読み出される。具体的には、図１２の走行区間ｒ１２の箇所に示されるように、走行制御モードが第２走行モード、設定車速が４０ｋｍ／ｈ、設定車間距離が中という内容の機能設定が読み出されて、かかる機能設定に基づいて走行制御がなされる。
【００６２】
図１３は、図１２に示す状態で走行制御を無効から有効に変更したときの状態を示す図である。この場合は、図１３の右下に示されるように、走行区間ｒ１２に対して予め設定された内容（図８を参照）、すなわち、走行制御モードが第２走行モード、設定車速が４０ｋｍ／ｈ、設定車間距離が中という内容に切り換えられ、かかる機能設定に基づいて走行制御がなされる。
【００６３】
図１４は、走行制御が有効の状態で、且つ過去に機能設定を登録したことがないルートＲ２の走行区間ｒ２１を走行したときの状態を示す図である。この場合、図１４の右下に示されるように、走行制御モードが第１走行モード、設定車速が４０ｋｍ／ｈ、設定車間距離が長の状態が現在の機能設定として設定されているので、この機能設定の内容が走行区間ｒ２１の機能設定として設定記憶部３に登録される。
【００６４】
図１５は、図１４に示す状態、すなわち、走行制御が有効の状態で、且つ過去に機能設定を登録したことがないルートＲ２の走行区間ｒ２１を走行している状態から、分割点Ｐ４を通過して、過去に機能設定を登録したことがある走行区間ｒ１３に自車が進入したときの状態を示す図である。
【００６５】
自車が分割点Ｐ４を通過すると、機能設定は過去に登録された機能設定へ遷移する。具体的には、走行区間ｒ１３に対して予め設定された機能設定の内容（図９を参照）が設定記憶部３から読み出されて、かかる機能設定に基づいて走行制御がなされる。ここでは、図１５の右下に示されるように、走行制御モードが第３走行モード、設定車速が２０ｋｍ／ｈ、設定車間距離が短という内容に切り換えられ、かかる機能設定に基づいて走行制御がなされる。そして、分割点Ｐ４が設定記憶部３に登録される。
【００６６】
図１６と図１７は、機能設定が登録されている区間から機能設定が登録されていない区間に自車が移動したときの機能設定の遷移について説明する図である。
【００６７】
自車は、図１６に示すように、走行制御が有効の状態で過去に機能設定を登録したことがある走行区間ｒ１４を走行している。走行区間ｒ１４に対して、図１６の右下に示されるように、走行制御モードが第１走行モード、設定車速が５０ｋｍ／ｈ、設定車間距離が長という機能設定が過去に登録されており、その機能設定の内容に基づいて自車の走行制御がなされている。
【００６８】
そして、図１７に示すように、走行区間ｒ１４から過去に機能設定を登録したことがない走行ルートＲ３の走行区間ｒ３１に移動した場合には、機能設定を変更することなく、継続して、走行区間ｒ１４に対して設定された機能設定の内容に基づいて走行制御が実施される。
【００６９】
図１８は、図１７に示す走行状態からユーザ操作により機能設定を変更したときの状態を示す図である。ユーザ操作により機能設定を変更した点が分割点Ｐ５として設定され、走行区間ｒ１４から分割点Ｐ５までの走行時における機能設定の内容が、走行区間ｒ１４から分割点Ｐ５までの未登録の走行区間ｒ３１に対する機能設定として、設定記憶部３に登録される。
【００７０】
上記した本発明の車両走行制御装置によれば、自車が走行ルート上に設定された走行区間から次の走行区間に移動したときに、機能設定が切り換えられる。従って、機能設定の変更を自動的に行うことができ、従来のスイッチ操作を省略することができる。また、走行区間の長さや位置を運転者が任意に設定でき、ユーザの意思を反映した細かい機能設定の切り替えを行うことができる。従って、本発明の車両走行制御装置は、ユーザへの負担をより軽減することができる。
【００７１】
尚、本発明は、上述の実施の形態に限定されるものではなく、本発明の趣旨を逸脱しない範囲で種々の変更が可能である。例えば、上述の実施の形態では、走行ルートＲ１に３カ所の分割点Ｐ１〜Ｐ３を設定して、４つの走行区間ｒ１１〜ｒ１４に分割する場合を例に説明したが、走行ルートＲ１を分割する数は限定されず、複数であればよい。
【００７２】
また、走行制御部２や設定記憶部３は、ナビゲーションシステム１から受け取る情報の他に、車載カメラや道路端末からの情報を用いてもよい。車載カメラや道路端末からの情報は、ナビゲーションシステム１の情報に比べて誤差が少なく、高精度の走行制御を実現できる。
【符号の説明】
【００７３】
１  ナビゲーションシステム、
２  走行制御部
３  設定記憶部
４  車速センサ
５  外界認識装置
６  エンジン制御部
７  ブレーキ制御部
１１  車両位置検出部
１２  表示部
１３  ルート設定部
１４  区間設定部
１５  機能設定部
２１  機能設定選択部
２２  設定記憶選択部
２３  目標車速演算部
２４  目標車間距離演算部
【図１】
2010188950.tif 000003
【図２】
2010188950.tif 000004
【図３】
2010188950.tif 000005
【図４】
2010188950.tif 000006
【図５】
2010188950.tif 000007
【図６】
2010188950.tif 000008
【図７】
2010188950.tif 000009
【図８】
2010188950.tif 000010
【図９】
2010188950.tif 000011
【図１０】
2010188950.tif 000012
【図１１】
2010188950.tif 000013
【図１２】
2010188950.tif 000014
【図１３】
2010188950.tif 000015
【図１４】
2010188950.tif 000016
【図１５】
2010188950.tif 000017
【図１６】
2010188950.tif 000018
【図１７】
2010188950.tif 000019
【図１８】
2010188950.tif 000020